(57)【要約】【課題】  内蓋の着脱のみを行うことにより、一つの電気炊飯器を、内蓋有り仕様と内蓋無し仕様との２種類の仕様に対応できるようにする。【解決手段】  飯器３を内蔵した炊飯器本体１と、該炊飯器本体１を開閉自在に密閉覆蓋する蓋体２と、該蓋体２の下面に対して着脱可能に取り付けられて前記飯器３内に臨む内蓋３９とを備えた電気炊飯器において、該内蓋３９を取り付けた状態の内蓋有り仕様と、前記内蓋３９を取り外した状態の内蓋無し仕様との二つの仕様での炊飯を可能として、一つの電気炊飯器において、内蓋の着脱により内蓋有り仕様と内蓋無し仕様との２種類の仕様に対応できるようにしている。【選択図】        図１
2005296182.tif 000002
【特許請求の範囲】
【請求項１】
飯器を内蔵した炊飯器本体と、該炊飯器本体を開閉自在に密閉覆蓋する蓋体と、該蓋体の下面に対して着脱可能に取り付けられて前記飯器内に臨む内蓋とを備え、該内蓋を取り付けた状態の内蓋有り仕様と、前記内蓋を取り外した状態の内蓋無し仕様との二つの仕様での炊飯を可能としたことを特徴とする電気炊飯器。
【請求項２】
前記内蓋には、前記蓋体の蒸気通路入口に嵌挿されるおネバ返し部材を着脱自在に取り付け、内蓋有り仕様においては前記おネバ返し部材を前記蒸気通路入口に嵌挿することにより前記内蓋を取り付ける一方、内蓋無し仕様においては前記おネバ返し部材のみを前記蒸気通路入口に取り付けるようにしたことを特徴とする請求項１記載の電気炊飯器。
【請求項３】
前記蓋体の下面には、蓋ヒータを具備した放熱板を取り付けるとともに、保温時における前記蓋ヒータの出力を、内蓋無し仕様の場合より内蓋有り仕様の場合の方が大きくなるように設定したことを特徴とする請求項１および２のいずれか一項記載の電気炊飯器。
【請求項４】
飯器を内蔵した炊飯器本体と、該炊飯器本体を開閉自在に密閉覆蓋する蓋体と、該蓋体の下面に対して着脱可能に取り付けられて前記飯器内に臨む内蓋とを備え、前記蓋体を構成する一つの部材の仕様を変更することにより、前記内蓋を取り付けた状態の内蓋有り仕様と、前記内蓋を取り外した状態の内蓋無し仕様との二つの仕様での炊飯を可能としたことを特徴とする電気炊飯器。
【請求項５】
前記蓋体の下面には、蓋ヒータを具備した放熱板を取り付けるとともに、該放熱板を、仕様変更される一つの部材としたことを特徴とする請求項４記載の電気炊飯器。
【請求項６】
前記蓋ヒータのヒータ線の長さを、内蓋有り仕様の場合より内蓋無し仕様の場合の方が長くなるように設定したことを特徴とする請求項５記載の電気炊飯器。
【発明の詳細な説明】
【技術分野】
【０００１】
本願発明は、電気炊飯器に関し、さらに詳しくは内蓋有り仕様あるいは内蓋無し仕様の２種類の仕様での炊飯が可能な電気炊飯器に関するものである。
【背景技術】
【０００２】
一般の電気炊飯器は、飯器を内蔵した炊飯器本体と、該炊飯器本体を開閉自在に密閉覆蓋する蓋体とを備えて構成されており、蓋体の下面に取り付けられた放熱板からの放熱により飯器内のご飯を加熱できるようになっている（特許文献１参照）。
【０００３】
また、前記蓋体の下面に対して着脱可能に取り付けられて飯器内に臨む内蓋を付設して、放熱板からの放熱にる保温時におけるご飯の乾燥をやわらげるようにした電気炊飯器も提案されている（特許文献２参照）。
【０００４】
【特許文献１】実開平７−４３５８１号公報。
【０００５】
【特許文献２】特開平５−１５４３７号公報。
【発明の開示】
【発明が解決しようとする課題】
【０００６】
ところが、上記特許文献１，２に開示されている電気炊飯器は、それぞれ別々のものとして提供されるものであり、一つの電気炊飯器を、内蓋有り仕様のものあるいは内蓋無し仕様のものとして炊飯することはできなかった。従って、内蓋有り仕様の電気炊飯器と内蓋無し仕様の電気炊飯器とを別個に製造せざるを得ず、それぞれのコストが高くならざるを得ないという不具合が存していた。
【０００７】
本願発明は、上記の点に鑑みてなされたもので、内蓋の着脱のみを行うことにより、一つの電気炊飯器を、内蓋有り仕様と内蓋無し仕様との２種類の仕様に対応できるようにすることを目的としている。
【課題を解決するための手段】
【０００８】
本願発明では、上記課題を解決するための第１の手段として、飯器を内蔵した炊飯器本体と、該炊飯器本体を開閉自在に密閉覆蓋する蓋体と、該蓋体の下面に対して着脱可能に取り付けられて前記飯器内に臨む内蓋とを備えた電気炊飯器において、該内蓋を取り付けた状態の内蓋有り仕様と、前記内蓋を取り外した状態の内蓋無し仕様との二つの仕様での炊飯を可能としている。
【０００９】
上記のように構成したことにより、一つの電気炊飯器において、内蓋の着脱により内蓋有り仕様と内蓋無し仕様との２種類の仕様での炊飯が可能となる。その結果、ユーザの使用自由度が大幅に拡大するとともに、コストダウンともなる。
【００１０】
本願発明では、さらに、上記課題を解決するための第２の手段として、上記第１の手段を備えた電気炊飯器において、前記内蓋に、前記蓋体の蒸気通路入口に嵌挿されるおネバ返し部材を着脱自在に取り付け、内蓋有り仕様においては前記おネバ返し部材を前記蒸気通路入口に嵌挿することにより前記内蓋を取り付ける一方、内蓋無し仕様においては前記おネバ返し部材のみを前記蒸気通路入口に取り付けるようにすることもでき、そのように構成した場合、内蓋有り仕様と内蓋無し仕様との仕様変更を、共通な部材である蒸気通路入口に対して嵌挿されるおネバ返し部材への内蓋の着脱の有無により行うことができることとなり、炊飯器本体や蓋体の構造を変更する必要がなくなる。
【００１１】
本願発明では、さらに、上記課題を解決するための第３の手段として、上記第１又は第２の手段を備えた電気炊飯器において、前記蓋体の下面に、蓋ヒータを具備した放熱板を取り付けるとともに、保温時における前記蓋ヒータの出力を、内蓋無し仕様の場合より内蓋有り仕様の場合の方が大きくなるように設定することもでき、そのように構成した場合、いずれの仕様においても、保温時においてご飯の表面が乾燥し過ぎるということがなくなり、長時間良好な保温状態を保持できる。
【００１２】
本願発明では、上記課題を解決するための第４の手段として、飯器を内蔵した炊飯器本体と、該炊飯器本体を開閉自在に密閉覆蓋する蓋体と、該蓋体の下面に対して着脱可能に取り付けられて前記飯器内に臨む内蓋とを備えた電気炊飯器において、前記蓋体を構成する一つの部材の仕様を変更することにより、前記内蓋を取り付けた状態の内蓋有り仕様と、前記内蓋を取り外した状態の内蓋無し仕様との二つの仕様での炊飯を可能としている。
【００１３】
上記のように構成したことにより、蓋体を構成する一つの部材の仕様変更のみで、内蓋の着脱が可能となり、一つの部材の仕様変更のみで、内蓋有り仕様と内蓋無し仕様との２種類の仕様に対応できることとなる。その結果、ユーザの使用自由度が大幅に拡大するとともに、コストダウンともなる。
【００１４】
本願発明では、さらに、上記課題を解決するための第５の手段として、上記第４の手段を備えた電気炊飯器において、前記蓋体の下面に、蓋ヒータを具備した放熱板を取り付けるとともに、該放熱板を、仕様変更される一つの部材とすることもでき、そのように構成した場合、放熱板の仕様変更のみで、内蓋の着脱が可能となり、放熱板のみの仕様変更で、内蓋有り仕様と内蓋無し仕様との２種類の仕様に対応できることとなる。
【００１５】
本願発明では、さらに、上記課題を解決するための第６の手段として、上記第５の手段を備えた電気炊飯器において、前記蓋ヒータのヒータ線の長さを、内蓋有り仕様の場合より内蓋無し仕様の場合の方が長くなるように設定することもでき、そのように構成した場合、内蓋無し仕様の時には、放熱板への蓋ヒータの配設面積を大きくとれるが、内蓋有り仕様の時には、放熱板の仕様変更により放熱板への蓋ヒータの配設面積が小さくならざるを得ず、蓋ヒータのヒータ線の長さを、内蓋有り仕様の場合より内蓋無し仕様の場合の方が長くできる。その結果、蓋ヒータの加熱力が、内蓋無し仕様の場合より内蓋有り仕様の場合の方が小さくなるが、内蓋有り仕様においては蓋体と内蓋との間に空気層が存在するところから、加熱力が小さくなったとしても問題とはならず、ヒータ線が短くなった分だけコストダウンとなる。
【発明の効果】
【００１６】
本願発明の第１の手段によれば、飯器を内蔵した炊飯器本体と、該炊飯器本体を開閉自在に密閉覆蓋する蓋体と、該蓋体の下面に対して着脱可能に取り付けられて前記飯器内に臨む内蓋とを備えた電気炊飯器において、該内蓋を取り付けた状態の内蓋有り仕様と、前記内蓋を取り外した状態の内蓋無し仕様との二つの仕様での炊飯を可能として、一つの電気炊飯器において、内蓋の着脱により内蓋有り仕様と内蓋無し仕様との２種類の仕様に対応できるようにしたので、ユーザの使用自由度が大幅に拡大するとともに、コストダウンともなるという効果がある。
【００１７】
本願発明の第２の手段におけるように、上記第１の手段を備えた電気炊飯器において、前記内蓋に、前記蓋体の蒸気通路入口に嵌挿されるおネバ返し部材を着脱自在に取り付け、内蓋有り仕様においては前記おネバ返し部材を前記蒸気通路入口に嵌挿することにより前記内蓋を取り付ける一方、内蓋無し仕様においては前記おネバ返し部材のみを前記蒸気通路入口に取り付けるようにすることもでき、そのように構成した場合、内蓋有り仕様と内蓋無し仕様との仕様変更を、共通な部材である蒸気通路入口に対して嵌挿されるおネバ返し部材への内蓋の着脱の有無により行うことができることとなり、炊飯器本体や蓋体の構造を変更する必要がなくなる。
【００１８】
本願発明の第３の手段におけるように、上記第１又は第２の手段を備えた電気炊飯器において、前記蓋体の下面に、蓋ヒータを具備した放熱板を取り付けるとともに、保温時における前記蓋ヒータの出力を、内蓋無し仕様の場合より内蓋有り仕様の場合の方が大きくなるように設定することもでき、そのように構成した場合、いずれの仕様においても、保温時においてご飯の表面が乾燥し過ぎるということがなくなり、長時間良好な保温状態を保持できる。
【００１９】
本願発明の第４の手段によれば、飯器を内蔵した炊飯器本体と、該炊飯器本体を開閉自在に密閉覆蓋する蓋体と、該蓋体の下面に対して着脱可能に取り付けられて前記飯器内に臨む内蓋とを備えた電気炊飯器において、前記蓋体を構成する一つの部材の仕様を変更することにより、前記内蓋を取り付けた状態の内蓋有り仕様と、前記内蓋を取り外した状態の内蓋無し仕様との二つの仕様での炊飯を可能として、蓋体を構成する一つの部材の仕様変更のみで、内蓋の着脱が可能となるようにしたので、一つの電気炊飯器において、蓋体を構成する一つの部材の仕様変更のみで、内蓋有り仕様と内蓋無し仕様との２種類の仕様に対応できることとなり、ユーザの使用自由度が大幅に拡大するとともに、コストダウンともなるという効果がある。
【００２０】
本願発明の第５の手段におけるように、上記第４の手段を備えた電気炊飯器において、前記蓋体の下面に、蓋ヒータを具備した放熱板を取り付けるとともに、該放熱板を、仕様変更される一つの部材とすることもでき、そのように構成した場合、放熱板の仕様変更のみで、内蓋の着脱が可能となり、放熱板のみの仕様変更で、内蓋有り仕様と内蓋無し仕様との２種類の仕様に対応できることとなる。
【００２１】
本願発明の第６の手段におけるように、上記第５の手段を備えた電気炊飯器において、前記蓋ヒータのヒータ線の長さを、内蓋有り仕様の場合より内蓋無し仕様の場合の方が長くなるように設定することもでき、そのように構成した場合、内蓋無し仕様の時には、放熱板への蓋ヒータの配設面積を大きくとれるが、内蓋有り仕様の時には、放熱板の仕様変更により放熱板への蓋ヒータの配設面積が小さくならざるを得ず、蓋ヒータのヒータ線の長さを、内蓋有り仕様の場合より内蓋無し仕様の場合の方が長くできる。その結果、蓋ヒータの加熱力が、内蓋無し仕様の場合より内蓋有り仕様の場合の方が小さくなるが、内蓋有り仕様においては蓋体と内蓋との間に空気層が存在するところから、加熱力が小さくなったとしても問題とはならず、ヒータ線が短くなった分だけコストダウンとなる。
【発明を実施するための最良の形態】
【００２２】
以下、添付の図面を参照して、本願発明の幾つかの好適な実施の形態について説明する。
【００２３】
第１の実施の形態
図１および図２には、本願発明の第１の実施の形態にかかる電気炊飯器が示されている。
【００２４】
この電気炊飯器は、図１に示すように、内部に炊飯用の飯器３を収納し得るように構成され且つ空間部４を有する二重構造の炊飯器本体１と、該炊飯器本体１の上部開口を開閉自在に密閉覆蓋する蓋体２とを備えている。
【００２５】
前記炊飯器本体１は、外側壁を構成する胴部５ａと底壁を構成する底部５ｂとからなる合成樹脂の一体成形品である外ケース５と、肩部を構成する合成樹脂製の肩部材６と、内周壁を構成する合成樹脂製の有底筒状の保護枠７とからなっており、前記外ケース５、肩部材６および保護枠７に囲まれて前記空間部４が形成されている。なお、前記保護枠７内には、前記飯器３が取り出し可能に収納されることとなっている。
【００２６】
前記保護枠７の底面中央部には、飯器温度を検出するための温度検出手段として作用するセンタセンサー８を臨ませるためのセンサー穴９が形成されている。
【００２７】
前記センサー穴９を包囲するように炊飯時における加熱手段として作用する環状の電磁誘導コイル（以下、ＩＨコイルという）１０が前記保護枠７の底面および該底面から側周面に至る間の湾曲部に対応して配設されている。該ＩＨコイル１０は、交番磁界（換言すれば、電磁波）を発生するものであり、該交番磁界の電磁誘導により前記飯器３に誘導渦電流を発生させ、該誘導渦電流の抵抗熱を利用して飯器３を加熱するものとされている。なお、飯器３は、ＩＨコイル１０により誘導渦電流を発生させることのできる材質（例えば、磁性体材料）により構成される。
【００２８】
前記ＩＨコイル１０は、前記保護枠７の底面に対して固定されたコイルダイ１１と前記保護枠７の底面との間に挟持されている。符号１２はフェライトコアであり、前記ＩＨコイル１０の下方において４本が放射状に配設されていて、ＩＨコイル１０による磁気が下方に存在する機器に対して影響を及ぼさないように遮蔽する作用をなす。
【００２９】
前記センサー穴９内には、前記飯器３の底部に対して接触するようにしてセンタセンサー８が設けられている。また、前記保護枠７の側周面には、保温時における加熱手段として作用する保温ヒータ１３が取り付けられている。保温ヒータ１３に代えてＩＨコイルを採用する場合もある。
【００３０】
前記炊飯器本体１の底部（即ち、外ケース底部５ｂの内底部）には、前記ＩＨコイル１０の通電制御を行うためのパワートランジスタおよび整流用ダイオードブリッジ（図示省略）等の電子部品を冷却するヒートシンク１４へ冷却風を圧送する電子部品冷却用ファン１５が配設されている。また、前記炊飯器本体１の底壁（具体的には、外ケース底部５ｂ）には、前記電子部品冷却用ファン１５に対向して空気入口１６，１６・・が形成されている。符号１７は前記電子部品が配設されている電源基板である。
【００３１】
前記肩部材６における反ヒンジ側（即ち、蓋体２をロックするロック機構１８が設けられている側）には、各種スイッチ（例えば、炊飯スイッチ、予約スイッチ、保温スイッチ等）および液晶表示部を備えた操作パネル部１９とその操作基板１９ａとが設けられている。符号２０は炊飯器本体１の空間部４における後部側（換言すれば、ヒンジ側）に縦置き姿勢で配設されたコードリールである。
【００３２】
一方、前記蓋体２は、外面を構成する合成樹脂製の上板２１と、内面外周部を構成するドーナツ形状の合成樹脂製の下板２２とによって構成されている。この蓋体２は、前記肩部材６（換言すれば、炊飯器本体１）の一側（即ち、背面側）に枢支されたヒンジピン２３を介して炊飯器本体１に対して弧回動自在に取り付けられている。符号２４は蓋体２内に配設された断熱材である。
【００３３】
そして、前記蓋体２の略中央部には、前記上板２１から垂設された筒部２５が形成されており、該筒部２５内は、炊飯時に発生する水蒸気を外部へ排出するための蒸気通路２６が形成されており、該蒸気通路２６の入口には、おネバ返し部材２７がスチームパッキン２８を介して着脱自在に取り付けられている。符号２９は蒸気排出口である。
【００３４】
このおネバ返し部材２７は、中央部におネバ戻し穴３１を有する円盤形状の基部３０と、該基部３０の外周部において一体に立設された背の低い外環状壁３２と、前記基部３０において前記おネバ戻し穴３１の口縁部から立設された背の高い内環状壁３３とからなっており、前記外環状壁３２の上端部には、蒸気導入口３４が形成される一方、前記内環状壁３３の下部（即ち、前記おネバ戻し穴３１と連通する部位）には、前記蒸気導入口３４を介して前記外環状壁３２内に導入された蒸気Ｓが流通する蒸気流通口３５が形成されている。前記おネバ戻し穴３１には、おネバ戻し時にのみ該おネバ戻し穴３１をおネバの重みにより開放する弁３６が取り付けられている。そして、このおネバ返し部材２７は、前記内環状壁３３を前記蒸気通路２６の入口に配設されたスチームパッキン２８に嵌挿することにより取り付けられることとなっている。
【００３５】
また、前記蓋体２の下板２２の内側口縁と前記スチームパッキン２８との間には、蓋ヒータ３８を上面に具備した放熱板３７が取り付けられている。該放熱板３７は、アルミ合金等の熱良導体からなっている。なお、該放熱板３７の内周側口縁は、前記おネバ返し部材２７のスチームパッキン２８への嵌挿によりおネバ返し部材２７の外環状壁３２の上端とスチームパッキン２８の下端との間に挟持されることとなっている。従って、蓋体２と内蓋３９との間には、空気層Ａが形成されることとなっている。
【００３６】
また、前記おネバ返し部材２７の基部３０には、前記蓋体２の閉止時に前記飯器３の開口部内に臨まされる内蓋３９がビス４０により着脱可能に取り付けられている。該内蓋３９は、アルミ合金等の熱良導体からなっている。符号４１は蓋体２と飯器３の口縁との間をシールする上部シール部４１ａと内蓋３９の周縁と蓋体２との間をシールする下部シール部４１ｂとが一体に形成されているシールパッキン、４２は内蓋３９に形成された蒸気入口である。
【００３７】
このようにすると、炊飯時において飯器３内に発生する蒸気Ｓは、内蓋３９の蒸気入口４２から蓋体２と内蓋３９との間の空気層Ａに流入した後、おネバ返し部材２７における蒸気導入口３４を介して外環状壁３２内に導入され、その後蒸気流通口３５を介して内環状壁３３内に流入し、蒸気通路２６を経て蒸気排出口２９から外部へ排出されることとなっており、このような蒸気排出過程において、飯器３内の調圧が行われるとともに、蒸気Ｓとともに排出されるおネバＤは、内環状壁３３に流入する際に蒸気Ｓから分離され、分離されたおネバの重みにより弁３６が開作動されておネバ戻し穴３６から飯器３内に戻されることとなる。従って、おネバＤが蒸気Ｓとともに蓋体２の外部へ排出されてしまうということがなくなる。また、炊飯時においては、おネバが内蓋３９への接触により成長を阻止されるし、保温時においては、内蓋３９からの放熱により、飯器３内のご飯の表面温度を上げることができるとともに、内蓋３９に付着する水滴を蒸発させる。
【００３８】
上記において説明した状態（即ち、内蓋３９を取り付けた状態）は、内蓋有り仕様とされるものであるが、図２に示すように、おネバ返し部材２７から内蓋３９を離脱させ、おネバ返し部材２７のみを蒸気通路２６の入口に対して嵌挿すると、炊飯時における蒸気排出、おネバ戻しおよび調圧においては内蓋有り仕様と同様となるので、内蓋無し仕様として用いることができる。
【００３９】
上記のように構成したことにより、一つの電気炊飯器において、内蓋３９の着脱により内蓋有り仕様と内蓋無し仕様との２種類の仕様での炊飯が可能となる。その結果、ユーザの使用自由度が大幅に拡大するとともに、コストダウンともなる。しかも、内蓋有り仕様と内蓋無し仕様との仕様変更を、共通な部材である蒸気通路２６入口に対して嵌挿されるおネバ返し部材２７への内蓋３９の着脱の有無により行うことができることとなり、炊飯器本体１や蓋体２の構造を変更する必要がなくなる。
【００４０】
ところで、内蓋有り仕様と内蓋無し仕様とでは、炊飯時におけるＩＨコイル１１、保温ヒータ１３および蓋ヒータ３８の火力を下記表１のように変更するのが望ましい。なお、吸水時および炊上げ時においては同じとされる。
【００４１】
【表１】
2005296182.tif 000003
【００４２】
上記のようにした理由は、昇温時においては、内蓋有り仕様の場合、内蓋３９と蓋体２との間に空気層Ａが存在しているため、蓋ヒータ３８の火力は小さくても良く、省エネとなるが、内蓋無し仕様の場合、蓋ヒータ３８を大火力にして放熱板３７からの放熱を大きくすることにより、吹きこぼれに対する対応準備を行うためである。
【００４３】
また、沸騰時においては、内蓋有り仕様の場合、吹きこぼれは内蓋３９とおネバ返し部材２７とにより防止できるので、蓋ヒータ３８は小火力で十分であり、省エネを図ることができるが、内蓋無し仕様の場合、吹きこぼれ防止のために蓋ヒータ３８を大火力とするのが望ましいためである。
【００４４】
さらに、蒸らし時においては、内蓋有り仕様の場合、蓋ヒータ３８を大火力として、内蓋３９に付着している水分を飛ばすとともに、保温時に冷えにくくするが、内蓋無し仕様の場合、蓋ヒータ３８の火力を小さく抑えて、ご飯表面の乾燥し過ぎを防止するためである。
【００４５】
また、内蓋有り仕様と内蓋無し仕様とでは、保温時におけるＩＨコイル１１、保温ヒータ１３および蓋ヒータ３８の火力を下記表２のように変更するのが望ましい。
【００４６】
【表２】
2005296182.tif 000004
【００４７】
上記のようにした理由は、保温初期においては、内蓋有り仕様の場合、蓋ヒータ３８を大火力として、内蓋３９に付着している水分を飛ばすが、内蓋無し仕様の場合、蓋ヒータ３８の火力を小さく抑えて、ご飯表面の乾燥し過ぎを防止するためである。
【００４８】
また、保温安定時においては、内蓋有り仕様の場合、蓋ヒータ３８を大火力として、内蓋３９全体を暖め、内蓋３９に水分が付着しないようにするが、内蓋無し仕様の場合、加熱し過ぎるので、ご飯表面が固くなるため、露が付かない程度の火力に抑えるのが望ましいためである。
【００４９】
第２の実施の形態
図３ないし図６には、本願発明の第２の実施の形態にかかる電気炊飯器が示されている。
【００５０】
この電気炊飯器は、図３に示すように、内部に炊飯用の飯器３を収納し得るように構成され且つ空間部４を有する二重構造の炊飯器本体１と、該炊飯器本体１の上部開口を開閉自在に覆蓋する蓋体２とを備えている。
【００５１】
前記炊飯器本体１は、外側壁を構成する胴部５ｃと肩部を構成する肩部５ｄとからなる合成樹脂の一体成形品である外ケース５と、底部を構成する合成樹脂製の底部材６と、内周壁を構成する金属製の有底筒状の保護枠７とからなっており、前記外ケース５、底部材６および保護枠７に囲まれて前記空間部４が形成されている。なお、前記保護枠７内には、前記飯器３が取り出し可能に収納されることとなっている。
【００５２】
前記保護枠７の内底部には、炊飯時における加熱手段として作用する熱盤式の電気ヒータ４３が配設されている。該電気ヒータ４３は、熱良導体からなる熱盤４４と該熱盤４４に埋設された発熱体（例えば、シーズヒータ）４５とからなっている。
【００５３】
前記熱盤４４の中央部には、飯器温度を検出するための温度検出手段として作用するセンタセンサー８を臨ませるためのセンサー穴９が形成されている。
【００５４】
前記外ケース肩部５ｂにおける反ヒンジ側（即ち、蓋体２をロックするロック機構１８が設けられている側）には、各種スイッチ（例えば、炊飯スイッチ、予約スイッチ、保温スイッチ等）および液晶表示部を備えた操作パネル部１９とその操作基板１９ａとが設けられている。符号２０は炊飯器本体１の空間部４における後部側（換言すれば、ヒンジ側）に縦置き姿勢で配設されたコードリール、２１は電気炊飯器を持ち運ぶための把手である。
【００５５】
一方、前記蓋体２は、外面を構成する合成樹脂製の上板２１と、内面外周部を構成するドーナツ形状の合成樹脂製の下板２２とによって構成されている。この蓋体２は、前記外ケース肩部５ｂ（換言すれば、炊飯器本体１）の一側（即ち、背面側）に枢支されたヒンジピン２３を介して炊飯器本体１に対して弧回動自在に取り付けられている。
【００５６】
そして、前記蓋体２におけるヒンジピン２３よりの位置には、内部に蒸気通路２６を有する調圧機構付きのスチームキャップ４６が取り付けられている。
【００５７】
前記蓋体２の下板２２の内側口縁と前記スチームパッキン２８との間には、蓋ヒータ３８を上面に具備した放熱板３７が取り付けられている。該放熱板３７は、アルミ合金等の熱良導体からなっている。符号４１は蓋体２と飯器３の口縁との間をシールする上部シール部４１ａと内蓋３９の周縁と蓋体２との間をシールする下部シール部４１ｂとが一体に形成されているシールパッキンである。
【００５８】
上記構成は、内蓋無し仕様のものであり、放熱板３７における蓋ヒータ３８は、図４に示すように、放熱板３７におけるスチームキャップ４６の取付部位を除く部分に配設されている。従って、蓋ヒータ３８のヒータ線の長さを十分に長くできる。
【００５９】
ところで、この電気炊飯器を内蓋有り仕様とするには、図５に示すように、放熱板３７の中央部に支持ピン４７を取り付け、該支持ピン４７に対してシールパッキン４８を介して内蓋３９を取り付けることにより行われる。従って、蓋体２と内蓋３９との間には、空気層Ａが形成されることとなっている。この場合、放熱板３７における蓋ヒータ３８は、図６に示すように、放熱板３７におけるスチームキャップ４６および支持ピン４７の取付部位を除く部分に配設されている。従って、蓋ヒータ３８のヒータ線の長さは内蓋無し仕様の場合より短くなっている。符号４２は内蓋３９に形成された蒸気入口である。
【００６０】
このようにすると、炊飯時において飯器３内に発生する蒸気Ｓは、内蓋３９の蒸気入口４２から蓋体２と内蓋３９との間の空気層Ａに流入した後、スチームキャップ４６を通って外部へ排出されることとなる。また、炊飯時においては、おネバが内蓋３９への接触により成長を阻止されるし、保温時においては、内蓋３９からの放熱により、飯器３内のご飯の表面温度を上げることができるとともに、内蓋３９に付着する水滴を蒸発させる。
【００６１】
上記のように構成したことにより、一つの電気炊飯器を、放熱板３７の仕様変更のみで、内蓋３９の着脱が可能となり、一つの電気炊飯器において、内蓋３９の着脱により内蓋有り仕様と内蓋無し仕様との２種類の仕様での炊飯が可能となる。その結果、ユーザの使用自由度が大幅に拡大するとともに、コストダウンともなる。
【００６２】
また蓋ヒータ３８のヒータ線の長さを、内蓋有り仕様の場合より内蓋無し仕様の場合の方が長くなるように設定している。即ち、内蓋無し仕様の時には、放熱板３７への蓋ヒータ３８の配設面積を大きくとれるが、内蓋有り仕様の時には、放熱板３７の仕様変更により放熱板３７への蓋ヒータ３８の配設面積が小さくならざるを得ず、蓋ヒータ３８のヒータ線の長さを、内蓋有り仕様の場合より内蓋無し仕様の場合の方が長くできる。その結果、蓋ヒータ３８の加熱力が、内蓋無し仕様の場合より内蓋有り仕様の場合の方が小さくなるが、内蓋有り仕様においては蓋体２と内蓋３９との間に空気層Ａが存在するところから、加熱力が小さくなったとしても問題とはならず、ヒータ線が短くなった分だけコストダウンとなる。
【図面の簡単な説明】
【００６３】
【図１】本願発明の第１の実施の形態にかかる電気炊飯器の内蓋有り仕様時の縦断面図である。
【図２】本願発明の第１の実施の形態にかかる電気炊飯器の内蓋無し仕様時の縦断面図である。
【図３】本願発明の第２の実施の形態にかかる電気炊飯器の内蓋無し仕様時の縦断面図である。
【図４】本願発明の第２の実施の形態にかかる電気炊飯器の内蓋無し仕様時の一部を切除した平面図である。
【図５】本願発明の第２の実施の形態にかかる電気炊飯器の内蓋有り仕様時の縦断面図である。
【図６】本願発明の第２の実施の形態にかかる電気炊飯器の内蓋有り仕様時の一部を切除した平面図である。
【符号の説明】
【００６４】
１は炊飯器本体
２は蓋体
３は飯器
２６は蒸気通路
２７はおネバ返し部材
３７は放熱板
３８は蓋ヒータ
３９は内蓋
【図１】
2005296182.tif 000005
【図２】
2005296182.tif 000006
【図３】
2005296182.tif 000007
【図４】
2005296182.tif 000008
【図５】
2005296182.tif 000009
【図６】
2005296182.tif 000010